(57)【要約】      （修正有）【課題】装飾性が豊かな金属製台所用器具及びその装飾処理方法を提供する。【解決手段】基材１の表面に装飾を有する金属製部分を含む台所用器具であって、装飾は、所定の図形を有する図形部２と、基材と異なる色彩を有する金属被膜残存部３とを含み、図形部は、基材の表面に形成された凹状領域４に囲まれて島状に分布し、金属被膜残存部は、金属被膜層の一部を除去する金属被膜除去加工によって形成され、金属被膜残存部は、少なくとも凹状領域に形成されている台所用器具。【選択図】図３
2020103752.tif 000002
【特許請求の範囲】
【請求項１】
基材の表面に装飾を有する金属製部分を含む台所用器具であって、
前記装飾は、所定の図形を有する図形部と、前記基材と異なる色彩を有する金属被膜残存部とを含み、
前記図形部は、前記基材の表面に形成された凹状領域に囲まれて島状に分布し、
前記金属被膜残存部は、金属被膜層の一部を除去する金属被膜除去加工によって形成され、
前記金属被膜残存部は、少なくとも前記凹状領域に形成されている
ことを特徴とする台所用器具。
【請求項２】
請求項１に記載の台所用器具であって、
前記金属被膜残存部は、前記図形部の表面の一部にも形成されている
ことを特徴とする台所用器具。
【請求項３】
請求項２に記載の台所用器具であって、
前記金属被膜残存部は、前記図形部の周縁部の少なくとも一部には形成されていない
ことを特徴とする台所用器具。
【請求項４】
請求項１〜３のいずれか一項に記載の台所用器具であって、
前記金属製部分の表面の少なくとも一部には、前記装飾を保護するための透光性を有する保護層が形成されている
ことを特徴とする台所用器具。
【請求項５】
請求項１〜４のいずれか一項に記載の台所用器具であって、
前記台所用器具は、調理器具又は食器具である
ことを特徴とする台所用器具。
【請求項６】
請求項５項に記載の台所用器具であって、
前記台所用器具は、使用者が握る部分を有するハンドルを備え、
前記装飾は、前記ハンドルに施されている
ことを特徴とする台所用器具。
【請求項７】
台所用器具の金属製部分の基材の表面を装飾する台所用器具の装飾処理方法であって、
前記基材の表面において所定の図形を有する図形部を浮き彫りにするために前記基材の表面の一部を凹ませて凹状領域を形成する凹状領域形成工程と、
少なくとも前記図形部と前記凹状領域とを含む領域に対して金属被膜処理を行って前記基材と異なる色彩を有する金属被膜層を形成する金属被膜層形成工程と、
前記金属被膜層の一部を除去する所定の加工を行う金属被膜層一部除去工程と、を含み、
前記金属被膜層の一部である金属被膜残存部が少なくとも前記凹状領域に残存し、前記図形部と前記金属被膜残存部とを含む装飾が形成される
ことを特徴とする装飾処理方法。
【請求項８】
請求項７に記載する装飾処理方法であって、
前記金属被膜残存部が、前記図形部の表面の一部にも残存する
ことを特徴とする装飾処理方法。
【請求項９】
請求項７又は８に記載する装飾処理方法であって、
前記金属被膜層形成工程では、前記金属部分全体に対して金属被膜処理が行われ、
前記金属被膜層一部除去工程では、前記金属被膜層に覆われた前記金属部分全体に対して所定の加工が行われる
ことを特徴とする装飾処理方法。
【請求項１０】
請求項７〜９のいずれか一項に記載する装飾処理方法であって、
前記装飾の上に、前記装飾を保護するための透光性を有する保護層を形成する保護層形成工程を含む
ことを特徴とする装飾処理方法。
【請求項１１】
請求項７〜１０のいずれか一項に記載する装飾処理方法であって、
前記基材は、鉄、ステンレス鋼、銅、チタン、又はアルミニュウムを主とする材料である
ことを特徴とする装飾処理方法。
【請求項１２】
請求項７〜１１のいずれか一項に記載する装飾処理方法であって、
前記金属被膜層形成工程では、金属被膜処理としてニッケルメッキ、黒ニッケルメッキ、黒クロムメッキ、金メッキ、銀メッキ、酸化被膜処理、溶射又は塗装が用いられる
ことを特徴とする装飾処理方法。
【請求項１３】
請求項７〜１１のいずれか一項に記載する装飾処理方法であって、
前記金属被膜層形成工程では、透光性を有する金属被膜層が形成される
ことを特徴とする装飾処理方法。
【請求項１４】
請求項７〜１３のいずれか一項に記載する装飾処理方法であって、
前記台所用器具は、調理器具又は食器具である
ことを特徴とする装飾処理方法。
【請求項１５】
請求項１４に記載する装飾処理方法であって、
前記台所用器具は、使用者が握る部分を有するハンドルを備え、
前記装飾は、前記ハンドルに形成される
ことを特徴とする装飾処理方法。
【発明の詳細な説明】
【技術分野】
【０００１】
本発明は、台所用器具及びその装飾処理方法に関する。
【背景技術】
【０００２】
台所用器具は金属製のものが少なくない。例えば、食材を切削する切削具として、刃体だけでなく、把手と刃体支持部も金属製であるピーラーが開示されている（特許文献１）。
【先行技術文献】
【特許文献】
【０００３】
【特許文献１】特開２００７−１１１２６１号公報
【発明の概要】
【発明が解決しようとする課題】
【０００４】
しかし、従来のこの種の台所用器具は、機能性に注目して構成され、装飾は基材の色彩そのままのものや、基材の表面全体を覆い隠す色彩が施される等装飾性に乏しい。また、近年、レトロな雰囲気の台所の内装が人気を集めており、このような雰囲気にも合わせられる台所用器具が求められている。
【０００５】
本発明は、上記課題の少なくとも一つを解決するためのもので、装飾性が豊かな台所用器具及びその装飾処理方法を提供することを目的とする。
【課題を解決するための手段】
【０００６】
上記課題を解決するために、本発明の一態様に係る台所用器具は、基材の表面に装飾を有する金属製部分を含む台所用器具であって、前記装飾は、所定の図形を有する図形部と、前記基材と異なる色彩を有する金属被膜残存部とを含み、前記図形部は、前記基材の表面に形成された凹状領域に囲まれて島状に分布し、前記金属被膜残存部は、金属被膜層の一部を除去する金属被膜除去加工によって形成され、前記金属被膜残存部は、少なくとも前記凹状領域に形成されている。
【０００７】
好ましくは、前記金属被膜残存部は、前記図形部の表面の一部にも形成されている。
【０００８】
好ましくは、前記金属被膜残存部は、前記図形部の周縁部の少なくとも一部には形成されていない。
【０００９】
好ましくは、前記金属製部分の表面の少なくとも一部には、前記装飾を保護するための透光性を有する保護層が形成されている。
【００１０】
好ましくは、前記台所用器具は、調理器具又は食器具である。
【００１１】
好ましくは、前記台所用器具は、使用者が握る部分を有するハンドルを備え、前記装飾は、前記ハンドルに施されている。
【００１２】
また、本発明の一態様に係る装飾処理方法は、台所用器具の金属製部分の基材の表面を装飾する台所用器具の装飾処理方法であって、前記基材の表面において所定の図形を有する図形部を浮き彫りにするために前記基材の表面の一部を凹ませて凹状領域を形成する凹状領域形成工程と、少なくとも前記図形部と前記凹状領域とを含む領域に対して金属被膜処理を行って前記基材と異なる色彩を有する金属被膜層を形成する金属被膜層形成工程と、前記金属被膜層の一部を除去する所定の加工を行う金属被膜層一部除去工程と、を含み、前記金属被膜層の一部である金属被膜残存部が少なくとも前記凹状領域に残存し、前記図形部と前記金属被膜残存部とを含む装飾が形成される。
【００１３】
好ましくは、前記金属被膜残存部が、前記図形部の表面の一部にも残存する。
【００１４】
好ましくは、前記金属被膜層形成工程では、前記金属部分全体に対して金属被膜処理が行われ、前記金属被膜層一部除去工程では、前記金属被膜層に覆われた前記金属部分全体に対して所定の加工が行われる。
【００１５】
好ましくは、前記装飾の上に、前記装飾を保護するための透光性を有する保護層を形成する保護層形成工程を含む。
【００１６】
好ましくは、前記基材は、鉄、ステンレス鋼、銅、チタン、又はアルミニュウムを主とする材料である。
【００１７】
好ましくは、前記金属被膜層形成工程では、金属被膜処理としてニッケルメッキ、黒ニッケルメッキ、黒クロムメッキ、金メッキ、銀メッキ、酸化被膜処理、溶射又は塗装が用いられる。
【００１８】
好ましくは、前記金属被膜層形成工程では、透光性を有する金属被膜層が形成される。
【００１９】
好ましくは、前記台所用器具は、調理器具又は食器具である。
【００２０】
好ましくは、前記台所用器具は、使用者が握る部分を有するハンドルを備え、前記装飾は、前記ハンドルに形成される。
【発明の効果】
【００２１】
本発明によれば、装飾性が豊かな台所用器具及びその装飾処理方法を提供することができる。
【００２２】
上記した以外の課題、構成及び効果は、以下の実施形態の説明により明らかにされる。
【図面の簡単な説明】
【００２３】
【図１】実施形態１に係る台所用器具の一例であるピーラーのハンドルを示す図である。
【図２】図１の部分拡大図で柄部を示す図ある。
【図３】実施形態１に係る装飾の一例を説明するための模式図である。
【図４】従来の装飾を説明するための模式図である。
【図５】実施形態２に係る装飾の一例を説明するための模式図である。
【図６】実施形態２に係る装飾の他の一例を説明するための模式図である。
【図７】実施形態２の金属被膜層が形成されたピーラーのハンドルを示す図である。
【図８】図７の部分拡大図で柄部を示す図ある。
【図９】図７の部分拡大図で連結部等を示す図である。
【図１０】実施形態２の金属被膜層の一部が除去されたピーラーのハンドルを示す図である。
【図１１】図１０の部分拡大図で柄部を示す図ある。
【図１２】図１０の部分拡大図で連結部等を示す図である。
【図１３】実施形態２に係る台所用器具の一例であるピーラーを示す図である。
【図１４】実施形態２に係る台所用器具の一例であるピーラーを示す図である。
【発明を実施するための形態】
【００２４】
以下、図面を参照して本願に係る台所用器具及びその装飾処理方法の実施形態の例を説明する。以下の説明では、同様な構成については、同様な符号を付してその説明を省略することがある。
【００２５】
本願に係る台所用器具には、少なくとも調理器具、食器具等が含まれる。調理器具は、例えば、ピーラー、包丁、調理用ナイフ、フライパン、鍋、お玉等である。また、食器具は、例えば、スプーン、フォーク、飲食用ナイフ、皿、カップ等がある。本願に係る装飾は、一例として、ピーラー、包丁、ナイフ、フライパン、鍋、スプーン、フォーク、お玉等における使用者が握る部分を有するハンドルに施される。本願に係る装飾は、他の例として、皿、鍋、フライパン、カップ、スプーン、フォーク、お玉の表面（ハンドル以外の部分の表面）に施される。以下では、一例として、ピーラーの例を説明する。
【００２６】
本願に係る上記台所用器具は、金属製部分を含む。金属製部分の基材は、例えば、鉄、ステンレス鋼、銅、チタン、アルミニュウム等を主とする材料である。本願に係る装飾はこの金属製部分の基材の表面に施される。
【００２７】
＜実施形態１＞
図１は実施形態１に係る台所用器具の一例であるピーラーのハンドルを示す図である。ピーラーはハンドルとこのハンドルによって保持される刃部材とを含む（図１３、図１４を参照）。なお、以下の説明では、ピーラーにおいて、食材側に近接する方向を下方又は下端とし、後述する柄部側を後方又は後端として説明する。
【００２８】
ハンドル１００は、使用者が握る部分である柄部１１０と、刃部材を保持する部分である保持部１２０と、柄部と保持部との間の部分である連結部１３０とを含む。ハンドル１００は、図示のように一体に形成されてもよいし、別体に形成されてから組み立てられてもよい。
【００２９】
ハンドル１００は、金属製部分を含む。図示のように、ハンドル１００全体が金属製であってもよいし、柄部１１０、保持部１２０、連結部１３０のうちのいずれか１つ又は２つが金属製であってもよい。例えば、連結部１３０は、プラスチック樹脂製であってもよいし、金属と、木材、石材、プラスチック樹脂等とを組み合わせたものでもよい。
【００３０】
柄部１１０は、例えば、長尺で、所定の厚みを有する扁平な板状である。柄部１１０は、装飾１４０が施されている。装飾１４０の詳細については、後述する。なお、以下では、柄部１１０に装飾１４０が施される例を説明するが、他の金属製部分に施されてもよいし、複数の金属製部分に施されてもよい。また、柄部１１０は、円柱状や紡錘形状等であって、装飾がその周面に施されてもよい。
【００３１】
保持部１２０は、長尺で所定の厚みを有する扁平な板状で、長手方向の両端から互いに向かう方向に延びる一対の固定部１２１を含む。保持部１２０は、例えば、長尺の薄板状部材を、両端を略直角に折り曲げで固定部１２１としたものである。一対の固定部１２１のうち、一方の固定部１２１には刃部材と締結するための締結部材１２２が設けられ、他方の固定部１２１には、刃部材を受け入れるための貫通孔（不図示）が設けられている。
【００３２】
連結部１３０は、後端が柄部１１０の長手方向の一端に連なり、前端が保持部１２０の略中央に保持部１２０と略直角を成すように連なる。言い換えれば、ハンドル１００は、Ｔ字状である。連結部１３０は、前端側に厚み方向（上下方向）において起伏する波形状の波部１３１を備え、後端側に厚み方向に貫通する貫通孔を有するリング部１３２を備える。
【００３３】
図２は、図１の一部拡大図で、柄部１１０を示す図である。装飾１４０は、ここでは、図示のように、板状の柄部１１０の一方の面の中央の広い領域を占めるように施されている。装飾１４０は、これより狭い一部の領域に形成されてもよい。装飾１４０は、例えば柄部１１０の全体領域の５０％〜１００％を占めている。そのうち、後述の図形部２が装飾領域全体の２０％〜９０％、より好ましくは４０％以上を占めている。
【００３４】
装飾１４０は、ハンドル１００ないし柄部１１０の基材１の表面に、図形部２と、金属被膜残存部３が設けられて構成される。図形部２は、独立した図形を複数含む。図形部２は、図示のように、形状や大きさが異なる複数の図形を含むものでもよいし、形状が同様な複数の図形を含むものでもよい。また、図形部２に含まれる図形は、幾何図形でもよいし、人物や動植物、風景等でもよいし、これらの組み合わせでもよい。
【００３５】
基材１の表面には、図形部２を浮き彫りにするための図形部２より凹んでいる凹状領域４が形成されて、この凹状領域４に囲まれて図形部２は基材１の表面に複数の島状（群島状）に分布される。一例として、装飾１４０は、例えば、皮模様（ワニ皮、ヘビ皮、ダチョウ皮等）、ウロコ模様のような模様を含む。
【００３６】
好ましくは、図形部２の図形同士の間隔（以下「図形間隔」ともいう。）は狭く、図形部２に含まれる図形の最大幅の平均より図形間隔のほうが小さい。装飾１４０において、図形部２は、装飾領域全体の６０％以上、より好ましくは８０％以上を占めている。例えば、平均して、１ｃｍ×１ｃｍの領域内に、島状の図形の数が２〜１０個、より好ましくは３〜５個含まれている。上記島状の一部は他の島と一部（例えば島状の３割以下の周囲の長さ）が連結していても良い。
【００３７】
金属被膜残存部３は、凹状領域４に形成されている。好ましくは、図形部２が金属被膜残存部３より突出しており、浮き上がって見える。言い換えれば、金属被膜残存部３が、図形部２の図形同士の間に位置し、図形部２より凹んでいるため、金属被膜残存部３が沈んで見える。
【００３８】
なお、ここでは、図形部２の表面が平面である例を図示しているが、湾曲した面であってもよい。または、球面の一部の形状や円柱面の一部の形状を表面形状とするものでもよい。
【００３９】
図３は、装飾１４０の一例を説明するための模式図である。ここでは、図形部２は、一例として楕円形の図形を複数含むものを示している（以下同じ）。なお、図３（ａ）、（ｂ）、（ｃ）の各図において、上図は平面図を示すもので、下図は上図のＡＡ線断面図を示すものである（以下同じ）。以下では、図３を用いて、装飾１４０の処理方法を説明する。
【００４０】
まず、凹状領域形成工程が行われる。具体的には、図３（ａ）に示すように、金属製部分の所定領域の基材１に対して、図形部２を浮き彫りにするために、図形部２以外の部分を凹ませて凹状領域４とする加工を行う。ここでは、プレス加工が用いられてもよいし、ダイキャスト加工が用いられてもよい。図示は、基材１の表面が平面の例であるが、基材１の表面が湾曲面や球状面、円柱状面、円錐形状面である（又はその一部である）場合は、このような表面の一部の領域に上記加工が行われる。
【００４１】
次に、金属被膜層形成工程が行われる。この工程では、図３（ｂ）に示すように、図形部２と凹状領域４とを含む所定領域に対して、金属被膜処理を行って、基材１の色彩と異なる色彩を有する金属被膜層Ｍ１を形成する。金属被膜処理として、例えば、ニッケルメッキ、黒ニッケルメッキ、黒クロムメッキ、酸化被膜処理、金メッキ、銀メッキ、溶射（例えばチタン溶射被膜を形成する等）、アルマイト、又は塗装等が用いられる。ここでは、一例として、黒クロムメッキ処理が行われるものとする。
【００４２】
次に、金属被膜層一部除去工程が行われる。この工程では、金属被膜除去加工が行われ、金属被膜層Ｍ１の一部が除去され、一部が残存させられて、金属被膜残存部３が形成される。より具体的には、図３（ｂ）に示す金属被膜除去線Ｋ１以上に位置する金属被膜層が除去される。具体的な処理方法として、例えば、バレル研磨、ブラスト研磨、バフ研磨等が用いられる。好ましくは、金属被膜層Ｍ１の厚みは薄く、図形部２と凹状領域４との高低差よりも小さい。
【００４３】
これによって、図３（ｃ）に示すように、凹状領域の上（表面上）にのみ金属被膜残存部３が形成され、基材１の表面に、図形部２及び金属被膜残存部３からなる模様として装飾１４０が現れる。また、金属被膜残存部３が図形部２より低い位置にあるため、装飾１４０は凹凸のある模様となる。
【００４４】
図４は、従来の装飾を説明するための模式図である。従来の装飾は、図４（ａ）に示すように、基材１ｐに対して、図形部２ｐを凹ませている。そして、図形部２ｐ以外の部分をマスキングして図形部２ｐにのみ被覆処理を行って、図４（ｃ）に示すように図形部２ｐに被覆層残存部３ｐが重なる装飾としている。または、図４（ｂ）に示すように被覆処理を行った後、図形部２ｐ以外の領域の被覆層を除去線Ｋｐで示した位置で除去することで、図４（ｃ）に示すように図形部２ｐに被覆層残存部３ｐが重なる装飾としている。
【００４５】
図４の従来の装飾は、図形部２ｐを凹ませ、図形部２ｐの周りの背景部分をマスキングすることで、図形部２ｐにのみ被覆層を形成して、図形部２ｐを引き立てる。または、図形部２ｐの周りの背景部分の被覆層を研削等で削り落とすことで、図形部２ｐを引き立てる。しかし、これでは、加工に多くの手間がかかることとなる。また、装飾を施す領域が湾曲面や球面等である場合は、手間がさらにかかる。
【００４６】
これに対して、図３に示すように、凹状領域を背景とし、凸状の図形部２を浮き上がらせる本実施形態の装飾１４０の処理では、マスキングする必要がなく、装飾領域全体に対して金属被膜処理を行うため、加工がすこぶるしやすく、安価でできる。
【００４７】
また、従来の装飾は図形部２ｐ自体に色彩を付与して引き立てているため、被覆層を研削する際に、図形部２ｐの色彩を誤って除去しないように高い注意力を払う必要がある。これに対して、装飾１４０は背景部分に色彩を付与しているため、研磨等を用いて容易に作業を進めることができる。
【００４８】
また、このように形成される従来の装飾は、図形部２ｐが凹んで沈んで見えるため、美しい装飾とすることは難しい。これに対して、本実施形態の装飾は、図形部２が浮き上がって見えるため、生き生きとした美しい装飾が得られる。
【００４９】
なお、図示しないが、金属被膜層一部除去工程の後に、好ましくは、保護層形成工程が行われる。この工程では、装飾を保護するために、図形部２及び金属被膜残存部３の上に、透光性を有する保護層を形成する。具体的な処理としては、例えば、ラッカー処理或いはメッキ処理、又はラッカー処理及びメッキ処理の両方が用いられる。
【００５０】
＜実施形態２＞
図５は実施形態２に係る装飾の一例を説明するための模式図である。図６は、実施形態２に係る装飾の他の一例を説明するための模式図である。図７は実施形態２の金属被膜層形成工程に係るピーラーのハンドルを示す図である。図８は図７の部分拡大図で柄部を示す図ある。図９は図７の部分拡大図で連結部等を示す図である。図１０は実施形態２の金属被膜層一部除去工程に係るピーラーのハンドルを示す図である。図１１は図１０の部分拡大図で柄部を示す図ある。図１２は図１１の部分拡大図で連結部等を示す図である。図１３は実施形態２に係る台所用器具の一例であるピーラーを示す図である。図１４は実施形態２に係る台所用器具の一例であるピーラーを示す図である。
【００５１】
以下では、まず、図５を用いて、本実施形態に係る装飾１４０ａの処理方法を説明する。まず、図５（ａ）に示すように、上記実施形態と同様に、凹状領域形成工程が行われる。
【００５２】
次に、図５（ｂ）に示すように、金属被膜層形成工程が行われる。ここでは、ハンドル１００ａ全体に対して金属被膜処理を行って、図形部２及び凹状領域４の上に金属被膜層Ｍ２を形成する。金属被膜処理として、例えば、黒ニッケルメッキが用いられる。図形部２と凹状領域４は金属被膜層によって覆われても、凹凸輪郭が鮮明に表れる。これによって、マスキングをする手間が減ると同時に、全体をメッキし、一部を削り取ることで、図形部を浮かび上がらせることができる。
【００５３】
より具体的には、マスキングせずに、図７〜図９に示すように、柄部１１０と、保持部１２０と、連結部１３０とを含むハンドル１００ａ全体に対して、基材１の表面に金属被膜層Ｍ２が形成されるように、透光性を有する黒ニッケルメッキ処理を行う。これによって、ハンドル１００ａ全体が金属被膜層Ｍ２に覆われるものの、図形部２及び凹状領域４はなお凹凸のある鮮明な模様として表れる。
【００５４】
次に、金属被膜層一部除去工程では、図５（ｂ）に示すように、図形部２における金属被膜層の一部が残存するように金属被膜除去線Ｋ２が設定される。ここでは、例えば、研磨材の大きさや時間、ハンドルと接触する強さ等が調整される。
【００５５】
このようにすることで、図５（ｃ）に示すように、金属被膜残存部３が凹状領域４の上にだけでなく、図形部２の上にも一部残存するようになる。
【００５６】
言い換えれば、ここでは、図形部２上に金属被膜層が剥離された金属被膜剥離部５と、金属被膜層が残存された金属被膜残存部３とが形成される。そして、装飾１４０ａは、金属被膜剥離部５と金属被膜残存部３との色彩の相違によって形成される模様をも含む装飾となる。このような模様は、ムラがあるため、手作り感や、年代物のようなビンテージ感、一品モノ感、使い込み感を創出する。図１０〜図１２は、このようなハンドル１００ａを示す図である。
【００５７】
本実施形態では、金属被膜層を形成し、図形部２の表面の金属被膜層の一部のみを除去することで、さらに、装飾にビンテージ感などを与えている。また、この除去処理は、均一性を要しない簡単な加工で、熟練さを要しないため、きわめて安価に行える。
【００５８】
好ましくは、図示のように、図形部２の周縁部の少なくとも一部には金属被膜残存部３が形成されていない。言い換えれば、金属被膜剥離部５は、少なくとも図形部２の周縁部の一部に形成される。これによって、図形部２が現実の使用による年代物感により近いビンテージ感有するようになる。
【００５９】
また、図６に示すように、凹状領域形成工程では、凹状領域４よりも更に凹む輪郭凹部６を設けてもよい。そして、金属被膜層形成工程、金属被膜層一部除去工程を経て、輪郭凹部６にも、金属被膜残存部３を残存させることができる。これを、図示のように、装飾１４０ａの周囲を囲むように設ければ、装飾１４０ａを強調でき、より豊かな装飾を形成できる。
【００６０】
また、図７、図９に示すように、輪郭凹部６をリング部１３２に設けることもできる。輪郭凹部を設けることで、輪郭凹部の周縁における金属被膜層が除去されやすく、輪郭凹部自体には金属被膜層が残存するので、装飾１４０ａ以外の部分もビンテージ感を有するようになる。
【００６１】
さらに、図９に示すように、連結部に１３０における波部１３１等における凸部上の金属被膜層も除去されやすいため、この部分にもビンテージ感を持たせることができる。
【００６２】
本実施形態では、金属被膜層形成工程、金属被膜層一部除去工程を、ハンドル１００ａ全体に対して行うため、作業がしやくなる。また、これによって、図１２に示すように、例えば、波部１３１の凸となっている部分にも金属被膜剥離部と金属被膜残存部が並存して、ビンテージ感のある模様が形成される。
【００６３】
図１３に示すように、上記のように装飾が設けられたハンドル１００ａに、刃部材２００を取り付けることでピーラー３００ａが組み立てられる。上記各装飾は、それぞれピーラー３００ａの複数の領域に設けられてもよい。例えば、図１４に示すように、ハンドル１００ａは、上面だけでなく、下面にも装飾を設けてもよい。ピーラー３００ａは、刃部材２００がハンドルに着脱可能に構成されているため、ハンドル全体を金属製とすれば、ハンドル全体に対して装飾を形成できる。また、主となる装飾１４０ａ以外にも、波部１３１やリング部１３２にもビンテージ感のある装飾を補助装飾として形成し、ハンドル全体に統一感のある装飾を施すことができる。
【００６４】
なお、図示しないが、上記実施形態と同様に、金属被膜層一部除去工程の後に、好ましくは、保護層形成工程が行われる。これによって、装飾を保護するために、装飾の上に、透光性を有する保護層が形成される。
【００６５】
以上、本発明に係る台所用器具及びその装飾処理方法について説明したが、これらは本発明の実施形態の一例に過ぎず、本発明はこれらに限定されるものではない。本発明には、以上の各実施形態を組み合わせた形態や、様々な変形例が含まれる。
【符号の説明】
【００６６】
１                                基材
２                                図形部
３                                金属被膜残存部
４                                凹状領域
５                                金属被膜剥離部
６                                輪郭凹部
１００、１００ａ                  ハンドル
１１０、１１０ａ                  柄部
１４０、１４０ａ                  装飾
２００                            刃部材
３００ａ                          ピーラー
【図１】
2020103752.tif 000003
【図２】
2020103752.tif 000004
【図３】
2020103752.tif 000005
【図４】
2020103752.tif 000006
【図５】
2020103752.tif 000007
【図６】
2020103752.tif 000008
【図７】
2020103752.tif 000009
【図８】
2020103752.tif 000010
【図９】
2020103752.tif 000011
【図１０】
2020103752.tif 000012
【図１１】
2020103752.tif 000013
【図１２】
2020103752.tif 000014
【図１３】
2020103752.tif 000015
【図１４】
2020103752.tif 000016
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
基材の表面に装飾を有する金属製部分を含む台所用器具であって、
前記装飾は、所定の図形を有する図形部と、前記基材と異なる色彩を有する金属被膜残存部とを含み、
前記図形部は、前記基材の表面に形成された凹状領域に囲まれて島状に分布し、
前記金属被膜残存部は、金属被膜層の一部を除去する金属被膜除去加工によって形成され、
前記金属被膜残存部は、少なくとも前記凹状領域に形成され、
前記図形部は、前記金属被膜残存部が形成された前記凹状領域から浮き上がって見える
ことを特徴とする台所用器具。
【請求項２】
請求項１に記載の台所用器具であって、
前記金属被膜残存部は、前記図形部の表面の一部にも形成されている
ことを特徴とする台所用器具。
【請求項３】
請求項２に記載の台所用器具であって、
前記金属被膜残存部は、前記図形部の周縁部の少なくとも一部には形成されていない
ことを特徴とする台所用器具。
【請求項４】
請求項１〜３のいずれか一項に記載の台所用器具であって、
前記金属製部分の表面の少なくとも一部には、前記装飾を保護するための透光性を有する保護層が形成されている
ことを特徴とする台所用器具。
【請求項５】
請求項１〜４のいずれか一項に記載の台所用器具であって、
前記台所用器具は、調理器具又は食器具である
ことを特徴とする台所用器具。
【請求項６】
請求項５項に記載の台所用器具であって、
前記台所用器具は、使用者が握る部分を有するハンドルを備え、
前記装飾は、前記ハンドルに施されている
ことを特徴とする台所用器具。
【請求項７】
台所用器具の金属製部分の基材の表面を装飾する台所用器具の装飾処理方法であって、
前記基材の表面において所定の図形を有する図形部を浮き彫りにするために前記基材の表面の一部を凹ませて凹状領域を形成する凹状領域形成工程と、
少なくとも前記図形部と前記凹状領域とを含む領域に対して金属被膜処理を行って前記基材と異なる色彩を有する金属被膜層を形成する金属被膜層形成工程と、
前記金属被膜層の一部を除去する所定の加工を行う金属被膜層一部除去工程と、を含み、
前記金属被膜層の一部である金属被膜残存部が少なくとも前記凹状領域に残存し、前記図形部と前記金属被膜残存部とを含む装飾が形成され、
前記図形部は、前記金属被膜残存部が形成された前記凹状領域から浮き上がって見える
ことを特徴とする装飾処理方法。
【請求項８】
請求項７に記載する装飾処理方法であって、
前記金属被膜残存部が、前記図形部の表面の一部にも残存する
ことを特徴とする装飾処理方法。
【請求項９】
請求項７又は８に記載する装飾処理方法であって、
前記金属被膜層形成工程では、前記金属部分全体に対して金属被膜処理が行われ、
前記金属被膜層一部除去工程では、前記金属被膜層に覆われた前記金属部分全体に対して所定の加工が行われる
ことを特徴とする装飾処理方法。
【請求項１０】
請求項７〜９のいずれか一項に記載する装飾処理方法であって、
前記装飾の上に、前記装飾を保護するための透光性を有する保護層を形成する保護層形成工程を含む
ことを特徴とする装飾処理方法。
【請求項１１】
請求項７〜１０のいずれか一項に記載する装飾処理方法であって、
前記基材は、鉄、ステンレス鋼、銅、チタン、又はアルミニュウムを主とする材料である
ことを特徴とする装飾処理方法。
【請求項１２】
請求項７〜１１のいずれか一項に記載する装飾処理方法であって、
前記金属被膜層形成工程では、金属被膜処理としてニッケルメッキ、黒ニッケルメッキ、黒クロムメッキ、金メッキ、銀メッキ、酸化被膜処理、溶射又は塗装が用いられる
ことを特徴とする装飾処理方法。
【請求項１３】
請求項７〜１１のいずれか一項に記載する装飾処理方法であって、
前記金属被膜層形成工程では、透光性を有する金属被膜層が形成される
ことを特徴とする装飾処理方法。
【請求項１４】
請求項７〜１３のいずれか一項に記載する装飾処理方法であって、
前記台所用器具は、調理器具又は食器具である
ことを特徴とする装飾処理方法。
【請求項１５】
請求項１４に記載する装飾処理方法であって、
前記台所用器具は、使用者が握る部分を有するハンドルを備え、
前記装飾は、前記ハンドルに形成される
ことを特徴とする装飾処理方法。